(57)【特許請求の範囲】
【請求項１】
建造物の壁面に正逆方向に回動可能に取り付けられた可動手摺りと、
可動手摺りの端部が当接することにより可動手摺りの回動を停止させる固定側部材と、
相互に係脱自在となるように可動手摺りと固定側部材とに設けられ、係合によって可動手摺りの回動をロックする一対のロック部材と、
前記一対のロック部材の係合を解除するために操作されるロック解除操作部材と、
ロック解除操作部材への操作によって回動するロック解除駒とを備え、
前記ロック解除駒と一対のロック部材の内の一方のロック部材とが可動手摺りの回動軸とは異なった軸に回動可能に取り付けられており、
前記ロック解除駒の回動と連動して前記一方のロック部材を他方のロック部材との係合から解除する方向に回動させる連動機構が前記ロック解除駒と一方のロック部材とに係脱自在に設けられ、
前記一対のロック部材の係合が解除されたとき、ロック解除駒の回動を停止させると共に一対のロック部材の係合解除状態を維持するロック解除維持機構が前記ロック解除駒と前記他方のロック部材とに係脱自在に設けられていることを特徴とする手摺り装置。
【請求項２】
前記連動機構は前記ロック解除駒に設けられた連動ピンと、前記一方のロック部材に設けられ前記連動ピンが移動可能に挿入される連動凹部とを備えていることを特徴とする請求項１記載の手摺り装置。
【請求項３】
前記ロック解除維持機構は前記他方のロック部材に設けられたピンと、前記ロック解除駒に設けられ前記ピンが侵入して係合する切欠と、ピンが切欠に侵入するように付勢するばねとを備えていることを特徴とする請求項１記載の手摺り装置。
【請求項４】
建造物の壁面に取り付けられた枢支軸を中心に正逆方向に回動する可動手摺りと、
前記枢支軸に取り付けられて一体的に回動するロックブロック及びロックブロックに係脱自在に係合するロックピンからなり、ロックブロックの正方向への回動によってロックピンがロックブロックに係合して可動手摺りの回動をロックするロック部材と、
ロックブロックへのロックピンの係合を解除するために操作されるロック解除操作部材と、
ロック解除操作部材への操作によってロックブロックとロックピンとの係合が解除されたとき、これらの係合解除状態を維持するロック解除維持機構とを備え、
前記ロック解除維持機構は、ロックピンとロックブロックとの係合が解除されたときにロックピンに係合してロックブロックとの係合方向へのロックピンの移動を停止する第１のリンクと、この第１のリンクに連結され、第１のリンクのロックピンへの係合状態を維持する第２のリンクとを備えていることを特徴とする手摺り装置。
【請求項５】
前記第２のリンクは、可動手摺りの逆方向の回動に伴ってロックブロックが当接することにより、第１のリンクをロックピンとの係合状態から退避させることを特徴とする請求項４記載の手摺り装置。
【発明の詳細な説明】
【０００１】
【発明の属する技術分野】
本発明は、回動する可動手摺りを備えた手摺り装置に関する。
【０００２】
【従来の技術】
高齢者や身体障害者等の安全を確保するために、トイレや風呂場等の壁面に設置し、使用時は、壁面に直角になる水平位置まで回動させ、不使用時は、壁面に沿って垂直位置に格納される可動手摺りが知られている。この可動手摺りは、水平位置に対しては自重によって展開状態を支持するだけであり、ロック機構を備えていない。
【０００３】
【発明が解決しようとする課題】
可動手摺りのようにロック機構を備えていない場合には、可動手摺りの下方から力を加えると簡単に上方に回動するため、使用者に不安を与えている。
【０００４】
これに対し、水平状態を維持するためのロック機構を可動手摺りに組み込んだ場合、可動手摺りを垂直の格納状態とする際に、ロックを解除し、このロック解除状態のままで可動手摺りの回動を行う必要があるため、両手での操作が要求されると共に操作が面倒であるばかりでなく、身体障害者等に対しては過酷な操作となっている。
【０００５】
本発明は、このような従来の問題点を考慮してなされたものであり、可動手摺りを水平位置等の一定の姿勢でロックすることができると共に、ロック解除状態を自動的に維持することができ、これにより、両手での操作を不要として簡単に格納姿勢に戻すことが可能で、簡易な操作を可能とした手摺り装置を提供することを目的とする。
【０００６】
【課題を解決するための手段】
請求項１の発明の手摺り装置は、建造物の壁面に正逆方向に回動可能に取り付けられた可動手摺りと、可動手摺りの端部が当接することにより可動手摺りの回動を停止させる固定側部材と、相互に係脱自在となるように可動手摺りと固定側部材とに設けられ、係合によって可動手摺りの回動をロックする一対のロック部材と、前記一対のロック部材の係合を解除するために操作されるロック解除操作部材と、ロック解除操作部材への操作によって回動するロック解除駒とを備え、前記ロック解除駒と一対のロック部材の内の一方のロック部材とが可動手摺りの回動軸とは異なった軸に回動可能に取り付けられており、前記ロック解除駒の回動と連動して前記一方のロック部材を他方のロック部材との係合から解除する方向に回動させる連動機構が前記ロック解除駒と一方のロック部材とに係脱自在に設けられ、前記一対のロック部材の係合が解除されたとき、ロック解除駒の回動を停止させると共に一対のロック部材の係合解除状態を維持するロック解除維持機構が前記ロック解除駒と前記他方のロック部材とに係脱自在に設けられていることを特徴とする。
【０００７】
請求項２の発明は、請求項１記載の手摺り装置であって、前記連動機構は前記ロック解除駒に設けられた連動ピンと、前記一方のロック部材に設けられ前記連動ピンが移動可能に挿入される連動凹部とを備えていることを特徴とする。
【０００８】
請求項３の発明は、請求項１記載の手摺り装置であって、前記ロック解除維持機構は前記他方のロック部材に設けられたピンと、前記ロック解除駒に設けられ前記ピンが侵入して係合する切欠と、ピンが切欠に侵入するように付勢するばねとを備えていることを特徴とする。
【０００９】
請求項４の発明の手摺り装置は、建造物の壁面に取り付けられた枢支軸を中心に正逆方向に回動する可動手摺りと、前記枢支軸に取り付けられて一体的に回動するロックブロック及びロックブロックに係脱自在に係合するロックピンからなり、ロックブロックの正方向への回動によってロックピンがロックブロックに係合して可動手摺りの回動をロックするロック部材と、ロックブロックへのロックピンの係合を解除するために操作されるロック解除操作部材と、ロック解除操作部材への操作によってロックブロックとロックピンとの係合が解除されたとき、これらの係合解除状態を維持するロック解除維持機構とを備え、前記ロック解除維持機構は、ロックピンとロックブロックとの係合が解除されたときにロックピンに係合してロックブロックとの係合方向へのロックピンの移動を停止する第１のリンクと、この第１のリンクに連結され、第１のリンクのロックピンへの係合状態を維持する第２のリンクとを備えていることを特徴とする。
【００１０】
請求項５の発明は、請求項４記載の手摺り装置であって、前記第２のリンクは、可動手摺りの逆方向の回動に伴ってロックブロックが当接することにより、第１のリンクをロックピンとの係合状態から退避させることを特徴とする。
【００１３】
【発明の実施の形態】
以下、本発明の手摺り装置の実施の形態を図面を参照して説明する。
【００１４】
図１〜図１４は本発明の実施の形態１における手摺り装置である。この実施の形態では、高齢者や身体障害者等のために建造物の壁面に可動手摺りが回動自在に取り付けられており、可動手摺りが可動側部材となっている。
【００１５】
図１は、可動手摺り１を水平位置にした使用状態を示す側面図、図２は正面図、図３は垂直状態にした格納状態を示す側面図である。図４は、図２に示すＡ−Ａ断面図、図５は、図１に示すＢ−Ｂ断面図、図６は、図５に示すＣ−Ｃ断面図、図７は、図４に示すＤ−Ｄ断面図、図８は、ロック装置の要部を示す展開斜視図、図９〜図１４は作動説明図である。
【００１６】
可動側部材としての可動手摺り１は、握り部１ａとストッパ部１ｂを備えている。可動手摺り１の回動を支持する回動部４がブラケット２の立設部２ｂに枢支されている。ブラケット２は、固定側部材となるものであり、壁面３にボルト等で固定されている。
【００１７】
回動部４は、図示しない手摺りの回動を支持する回動軸４ａを有し、その多くは公知の跳ね上げ機構を内蔵している。ブラケット２には、ロック解除レバー６を備えたストッパ受け５が取り付けられている。
【００１８】
以下、図４〜図８に基づき、この実施の形態のロック装置の構造について説明する。
【００１９】
ストッパ受け５は、フランジ部５ａを介してブラケット２に固定されており、筒部５ｂに穿設された軸穴５ｄに、軸７が貫通して固定される。軸７には、軸穴８ｃを有するロック爪８と軸穴９ｃを有する解除駒（ロック解除駒）９が回動自在に装着されている。ロック爪用ねじりばね１０は、軸７の周囲に装着され、一端を筒部５ｂに係止し他端をロック爪８に係止することにより、ロック爪８は、ねじりばね１０により反時計回り方向に付勢されている。また、解除駒用ねじりばね１１は、軸７の周囲に装着され、一端を筒部５ｂに係止し他端を解除駒９に係止することにより、解除駒９は、ねじりばね１１により反時計回り方向に付勢されている。
【００２０】
解除駒９には、ロック解除操作部材としてのロック解除レバー６がねじ止めされている。ストッパ受け５の開口部５ｅを貫通したロック解除レバー６は、ねじりばね１０により反時計回り方向に付勢され、開口部５ａの壁に押しつけられている。また、連動ピン９ａが、ロック爪８の連動凹部８ａに対応して挿入可能な位置に形成されているとともにピン１３が入る大きさの切欠９ｂが形成されている。
【００２１】
ロックブロック１２は、底部１２ｂ、筒状部１２ｃおよび延設部１２ｄを備えており、可動手摺り１のストッパー部１ｂの先端に底部１２ｂをねじ等で固定して設けられている。延設部１２ｄには、ロック爪受け部１２ａとピン１３を収納するピン収納部１２ｅを備えている。ロック爪受け部１２ａは、ロック爪８と係脱自在に係合する。また、ロックピン収納部１２ｅは、先端側の小径部と基端側の大径部から形成されており、小径部は、ピン１３の大径部より小さく、小径部が挿通される大きさでピン１３が抜け出るのを防止する。筒状部１２ｃは、可動手摺り１が水平状態に位置するときにブラケット２に固定されているストッパ受け５の受け部５ｃと当接する。なお、本実施の形態においては、延設部１２ｄにロック爪受け部１２ａとピン収納部１２ｅを一体的に形成したが、別々に設けても良い。ピン１３は、大径部と小径部からなり、圧縮ばね１４に付勢され、解除駒９の切欠９ｂに小径部が入り込みロック解除状態を維持する。
【００２２】
次に、図９〜図１４に基づき、可動手摺り１が格納されている位置から使用状態である水平位置まで降ろしてロックし、その後、ロックを解除しロック解除維持状態から格納するまでの作用を説明する。なお、各図の（ａ）は、可動手摺り１の側面図、（ｂ）は、図２のＡ−Ａ断面図で一対のロック部材の位置関係と作動を示し、（ｃ）は、図５のＣ−Ｃ断面図でロック解除維持機構部の位置関係と作動を示している。
【００２３】
図９は、可動手摺り１が格納状態から使用状態の水平位置に下がってくる途中の状態を示し、ロック解除レバー６は、ねじりばね１１により反時計回り方向に付勢され、ストッパ受け５の開口部５ａの壁に押しつけられて垂直に立っている。ロック爪８は、ねじりばね１０により反時計回り方向に付勢されロック爪８の連動凹部８ａが解除駒９の連動ピン９ａに当接した状態で保持されている。また、ロックブロック１２に収納されたピン１３は、圧縮ばね１４により付勢されており、その先端は、ピン収納部１２ｅから突出している。
【００２４】
図１０は、更に可動手摺り１を下げた状態で、ロック爪８の鉤部８ｂとロック爪受け部１２ａが当接し、ロック爪８が時計方向に回動している状態を示す。なお、解除駒９の連動ピン９ａがロック爪８の連動凹部８ａの中間部に位置しているが、ロック爪８とロック解除駒９は、別々のねじりばねで付勢されていることから、ロック解除駒９は、ロック解除レバー６が直立した状態を維持している。
【００２５】
図１１は、可動手摺り１が、図１０の状態から水平位置まで更に下げられることにより、ロック爪８の鉤部８ｂに当接していたロックブロック１２のロック爪受け部１２ａが鉤部８ａを押し下げながら乗り越え、ロック爪８の鉤部８ｂとロック爪受け部１２ａが係合し、ロックされた状態を示す。
【００２６】
この状態では、可動手摺り１に上方向の力が加わっても、ロック部には、水平方向の力が作用しロックがはずれることはなく可動手摺り１は動くことはなく、水平状態を維持している。このロックは、可動手摺り１を下げることにより自動的にロックされ、特別なロック操作は不要となるとともにロック操作を忘れることもなく安全確実なものとなっている。また、可動手摺り１のストッパ部１ｂにロックブロック１２を設けることにより、可動手摺り１が完全に停止した位置でロックすることができるためロック後のガタが少ないという効果がある。
【００２７】
また、この状態におけるピン１３は、ロック解除駒９に当接し、ロックピン収納部１２ｅの内部に引っ込んだ状態になっている。
【００２８】
図１２は、ロック状態にある図１１から、ロックを解除した状態を示す。
【００２９】
解除駒９に固定されたロック解除レバー６を時計回り方向に回転させると、解除駒９に形成された連動ピン９ａが時計回り方向に動くとともに連動ピン９ａとロック爪８の連動凹部８ａが当接していることから、ロック爪８は、時計回り方向に回動する。その結果、ロック爪８の鉤部８ｂとロックブロック１２のロック爪受け部１２ａの係合がはずれる。
【００３０】
一方、時計回り方向に回動された解除駒９は、切欠部９ｂがピン１３の位置まで達する。ピン１３は、圧縮ばね１４に付勢されていることから先端が押し出され、切欠部９ｂと噛み合った状態となる。この状態で、ロック解除レバー６から手を離しても噛み合い状態であるため、解除駒９が回動することがなく、ロック解除レバー６は元に戻らずロックを解除した状態が維持される。これによりロック爪８とロックブロック１２との係合解除（ロック解除）状態が維持される。このようにロック爪８と６ブロック１２との係合解除状態が維持されることにより、ロック解除レバー６から手を離すことができ、ロック解除レバー６から手を離したままで可動手摺り１だけへの操作を行うことができる。
【００３１】
この状態で、可動手摺り１を上方に上げていくと、図１３に示すように、ピン１３が解除駒９の切欠部９ｂから抜け出すまで解除状態が維持される。一方、ロック爪８の鉤部８ｂは、ロックブロック１２のロック爪受け部１２ａとの係合可能位置からずれた位置まで移動している。
【００３２】
この状態から更に可動手摺り１を上げていくと、図１４に示すように、ピン１３は、解除駒９の切欠部９ｂから完全に抜け出ており、ねじりばね１１により反時計回り方向に付勢されている解除駒が回動することにより、ロック解除レバー６は垂直位置まで戻される。一方、ねじりばね１０により付勢されているロック爪８も拘束が解除され、反時計回り方向に回動するが、ロックブロック１２のロック爪受け部１２ａとの係合可能位置から完全にずれた位置まで移動していることから、再度ロックすることはない。
【００３３】
図１５及び図１６は、本発明の実施の形態２であり、図１５は、ロック状態にある一対のロック部材の断面図を示し、図１６は、ロック状態のロック解除維持機構部とロック解除レバー６の位置関係を表す断面図を示している。
【００３４】
この実施の形態は、ロック装置の構成部品を実施の態様１とは、ブラケット側と可動手摺り側を逆にしたもので、同一部品については、同一の番号を付し、同様な構造については説明を省略し、異なる部分について説明する。
【００３５】
壁面３に固定されるブラケット２側に、フランジ部５ａを介してストッパ受け５を固定し、ストッパ受け５は、ロック爪受け部５ｅとピン１３を収納するピン収納部１２ｅを備えている。
【００３６】
可動手摺り１のストッパ部１ｂ側には、ロック解除操作部材である把手部６の作動範囲を制限するためのスリット１ｃを形成するとともに、可動手摺り１のストッパ部１ｂの先端には、ロックブロック１２がねじ等により固定されている。
【００３７】
ロックブロック１２は、ロック爪１８と解除駒９が軸７に回動自在に装着されている。ロック爪８は、連動凹部８ａを形成し、ねじりばね１６により時計回り方向に付勢されている。解除駒９は、連動凹部８ａと対応する位置に連動ピン９ａを形成するとともに突出部９ｄを形成し、図示しないねじりばねにより時計回り方向に付勢されている。ケーブル１５は、一端を突出部９ｄに固定し、他端をロック解除操作部材である把手部６の連結部６ａに固定されている。
【００３８】
このように構成された実施の形態は、実施の形態１と同様に作動する。また、この実施の形態では、ロック解除操作部材である把手部６を右方向に作動させると、ケーブル１５に連結された解除駒９が反時計回り方向に回動し、連動ピン９ａが当接しているロック爪８の連動凹部８ａを反時計回り方向に回動し、ロック爪８とロック爪受け部５ｅの係合がはずれる。
【００３９】
一方、解除駒９の切欠き９ｂがピン１３の位置まで回動すると、圧縮ばね１４に付勢されているピン１３は押し出されピン１３の先端が切欠き９ｂに噛み合い、把手部６から手を離してもロック解除維持状態が維持され、可動手摺り１は回動可能な状態となる。この状態から可動手摺り１を上方に上げることにより格納することができる。また、格納位置から使用状態である水平位置に引き出せば、第１の実施の形態と同様の作動で自動的にロックされる。
【００４０】
この実施の形態では、ロック解除操作部材を可動手摺り１を使用者の前方に位置して設けることができるため、トイレ等の狭い空間に設置した場合の操作性が向上する。特に、車いす等に乗った人にとっては、操作しやすくなる。
【００４１】
図１７〜図２４は、本発明の実施の形態３を示す。この実施の形態において、可動手摺り１（握り部１ａ）は、回動部４の枢支軸４ｄを中心に正逆方向に回動する。回動部４は壁面３に取り付けられたブラケット２に固定されている。枢支軸４ｄには円弧状側面を有したロックブロック１１２が取り付けられており、可動手摺り１の正逆方向の回動と同期して回動する。このロックブロック１１２には、後述するロックピン１０８が係脱自在に挿入されるロック孔１１２ａが形成されている。
【００４２】
ブラケット２には筒状のベース１１８が固定されており、ベース１１８にロックピン１０８が摺動自在に挿入されている。ベース１１８は下端部がロックブロック１１２に臨んでいる。ロックピン１０８は圧縮ばね１１０によってロックブロック１１２方向に突出するように付勢されている。
【００４３】
また、ロックピン１０８の長さ方向の所定部位には溝１０８ａが形成されている。この溝１０８ａには第１のリンク１１３が係脱自在に係合する。第１のリンク１１３はベース１１８に形成されたガイド孔１１８ｂから溝１０８ａに侵入する。
【００４４】
ロックピン１０８はベース１１８の上方に抜き出されており、解除レバー支持体１１９の上方に抜き出ている。このロックピン１０８が解除レバー１０６から抜けないようにストップピン１２１が上端部に圧入されている。
【００４５】
解除レバー支持体１１９には解除レバー１０６が軸１１７の中心に回動自在に取り付けられている。また、解除レバー支持体１１９には第２のリンク１１４の回転軸１０７が取り付けられており、第２のリンク１１４は回転軸１０７を中心に回動する。この第２のリンク１１４の長さ方向中間部には第１のリンク１１３が挿入されている。第１のリンク１１３が回転軸１２０を中心に、第２のリンク１１４に対して回動可能となっている。第１のリンク１１３は第２のリンク１１４の作動に同期してベース１１８に形成されたガイド孔１１８ｂに沿って移動する。この場合、第２のリンク１１４は自重によって回転軸１０７を中心に回動するようになっている。なお、第２のリンクは自重に限らず、圧縮ばね等の付勢部材によってロックブロック１１２に押圧してもよい。
【００４６】
次に、この実施の形態を図１９〜図２４に基づいて説明する。
【００４７】
図１９は、可動手摺り１が垂直位置に格納された状態を示し、ロックピン１０８はロックブロック１１２のロック穴１１２ａから外れているため、ロックブロック１１２に押し付けられるだけであって、可動手摺り１を反時計方向に回動させることができる。
【００４８】
図２０は可動手摺り１を水平位置近くまで回動させた状態を示し、第２のリンク１１４はロックブロック１１２から離れ、回転軸１０７回りに自重により時計方向に回転する。この回転によって第１のリンク１１３がロックピン１０８の側面に押し付けられる。
【００４９】
図２１は可動手摺り１を水平位置に下げた状態を示す。この状態ではロックピン１０８が圧縮ばね１１０のばね力により、ロックブロック１１２のロック孔１１２ａに入り込んで係合する。これにより、可動手摺り１は水平状態がロックされる。
【００５０】
図２２は解除レバー１０６を引き上げた状態を示す。解除レバー１０６を引き上げると、解除レバー１０６がストップピン１２１に当接するため、ロックピン１０８が引き上げられる。ロックピン１０８はベース１１８内を摺動する。この摺動により、ロックピン１０８の溝１０８ａに第１のリンク１１３が侵入して係合する。これにより、ロックピン１０８の摺動が停止する。従って、ロックピン１０８はロックブロック１１２のロック孔１１２ａに入り込むことがなく、ロック解除状態が維持される。
【００５１】
図２３は、解除レバー１０６から手を離して操作を中止した状態を示す。上述のように第１のリンク１１３が溝１０８ａ内に侵入しているため、ロックピン１０８が定位置で停止しており、ロックブロック１１２と係合することがないため、手を離してもロック解除状態を維持することができる。
【００５２】
この状態で可動手摺り１を上方に回動させると、第２のリンク１１４にロックブロック１１２が当接するため、第２のリンク１１４が反時計方向に回転する。この反時計方向の回転に伴って、第１のリンク１１３が同期して上方に移動するため、ベース１１８のガイド孔１１８ｂから抜け、これにより第１のリンク１１３はロックピン１０８の溝１０８ａから抜け出る。
【００５３】
図２４は、第１のリンク１１３がロックピン１０８の溝１０８ａから完全に抜けた状態を示す。このときには、ロックブロック１１２のロック孔１１２ａはロックピン１０８から十分離れた位置まで移動しているため、ロックピン１０８がロック孔１１２ａに入り込んで再度ロックすることはない。
【００５４】
このような実施の形態では、第１のリンク１１３がロックピン１０８の溝１０８ａに係合するためロック解除状態を維持することができ、可動手摺り１を上方に回動させる操作が容易となる。また、可動手摺りの回動中心にロック部材を取り付けるため、可動手摺りの重量変化がない。このため、自重モーメントが変わらず、後付けが可能となる。
【００５５】
【発明の効果】
以上説明したように、本発明は、可動手摺りを水平位置等の一定の姿勢でロックするため、可動手摺りが不用意に動くことがなく、使用者に安心感を与えることができる。また、ロック解除操作部材への操作によってロックが解除されるため、簡単な操作でロック解除を行うことができる。しかも、ロック解除操作部材への操作と連動してロック解除状態が維持されるため、ロック解除状態を維持するための操作が不要となる。これにより、ロック解除状態で可動手摺りに対する操作を行うことができ、両手等を用いた煩雑な操作が不要となり、操作性が格段に向上する。
【図面の簡単な説明】
【図１】本発明の実施の形態１の使用状態の側面図である。
【図２】実施の形態１の格納状態の正面図である。
【図３】実施の形態１の格納状態の側面図である。
【図４】図２のＡ−Ａ線断面図である。
【図５】図１のＢ−Ｂ線断面図である。
【図６】図５のＣ−Ｃ線断面図である。
【図７】図４のＤ−Ｄ線断面図である。
【図８】要部の分解斜視図である。
【図９】可動手摺りが下がってくる途中を示す作動説明図である。
【図１０】可動手摺りが下がってくる途中を示す作動説明図である。
【図１１】可動手摺りが水平状態となった状態を示す作動説明図である。
【図１２】ロック解除操作を示す作動説明図である。
【図１３】ロック解除操作を示す作動説明図である。
【図１４】可動手摺りを上方へ回動させた状態させた状態を示す作動説明図である。
【図１５】本発明の実施の形態２の断面図である。
【図１６】実施の形態２の作動を示す断面図である。
【図１７】本発明の実施の形態３の正面図である。
【図１８】実施の形態３の側面図である。
【図１９】実施の形態３における可動手摺りの格納状態を示す断面図である。
【図２０】可動手摺りを下方に回動させた状態を示す断面図である。
【図２１】可動手摺りが水平状態となった状態を示す断面図である。
【図２２】ロック解除操作を示す断面図である。
【図２３】ロック解除維持状態を示す断面図である。
【図２４】可動手摺りを上方に回動させる状態を示す断面図である。
【符号の説明】
１  可動手摺り
５  ストッパ受け
６  ロック解除レバー
８  ロック爪
９  解除駒
【図１】
0003780423.tif 000002
【図２】
0003780423.tif 000003
【図３】
0003780423.tif 000004
【図４】
0003780423.tif 000005
【図５】
0003780423.tif 000006
【図６】
0003780423.tif 000007
【図７】
0003780423.tif 000008
【図８】
0003780423.tif 000009
【図９】
0003780423.tif 000010
【図１０】
0003780423.tif 000011
【図１１】
0003780423.tif 000012
【図１２】
0003780423.tif 000013
【図１３】
0003780423.tif 000014
【図１４】
0003780423.tif 000015
【図１５】
0003780423.tif 000016
【図１６】
0003780423.tif 000017
【図１７】
0003780423.tif 000018
【図１８】
0003780423.tif 000019
【図１９】
0003780423.tif 000020
【図２０】
0003780423.tif 000021
【図２１】
0003780423.tif 000022
【図２２】
0003780423.tif 000023
【図２３】
0003780423.tif 000024
【図２４】
0003780423.tif 000025